(57)【要約】      （修正有）【課題】コサージュを装着するときの満足度とか、誇らしい雰囲気の醸成とかを満喫するとともに、磁石の軽量化と薄肉形状の確保とを図ることができるマグネット付きコサージュを提供する。【解決手段】コサージュ１のかたく１００に設けた磁着体２と、磁着体２に設けた布地３と、磁着体２に磁着されるレースでくるんだ磁石６と、でなるマグネット付きコサージュ１であり、コサージュ１を装着するときの満足度とか、誇らしい雰囲気の醸成とかを満喫するとともに、磁石の軽量化と薄肉形状が図れる。【選択図】図４
0003202668.tif 000002
【実用新案登録請求の範囲】
【請求項１】
コサージュのかたくに設けた金属板、磁石の何れかでなる磁着体と、この磁着体に設けた布地と、この布地に接触し、かつ前記磁着体に磁着される磁石と、この磁石を被覆するレース、サテン、シルクの何れかでなるくるみ布と、で構成したマグネット付きコサージュ。
【請求項２】
前記カバーは、前記レース、前記サテン、前記シルクの如く、薄物素材で構成した請求項１に記載のマグネット付きコサージュ。
【請求項３】
前記磁石は、前記磁着体に対して大きく、その表面積を、磁石＞磁着体とする構成とした請求項１に記載のマグネット付きコサージュ。
【請求項４】
前記磁石は、ネオジム磁石とする構成とした請求項１に記載のマグネット付きコサージュ。
【請求項５】
前記磁石は、コサージュとの釣合いを考え、花柄とする構成とした請求項１に記載のマグネット付きコサージュ。
【考案の詳細な説明】
【技術分野】
【０００１】
本考案は、マグネット付きコサージュに関する。
【背景技術】
【０００２】
この種のマグネット付きコサージュと、その関連商品に関しては、種々の発明、考案等（文献とする）が提案かつ提供されている。また、同様な商品が、ネット上に於いても、販売かつ提供されている。
【０００３】
例えば、文献では、実用新案登録第３１６６５７２号公報の考案（文献１）は、取外しを容易にするために、対の磁石の内の取外し側の磁石の縁取りを大きくして、指の掛りを容易とする構造である。また、実開平６−４１５１７号公報の考案（文献２）は、針穴が残る問題点を解消する為に、磁石で取付け、取外しできる構造を提案する。文献２の考案は、磁石に刺繍を施し、装飾性を確保することも開示している。
【０００４】
一方、市場では、釦、又はカーテン等を束ねるベルト用の装飾を兼ねた釦等を、被覆する構造が知られている。
【０００５】
【特許文献１】実用新案登録第３１６６５７２号公報
【特許文献２】実開平６−４１５１７号公報
【考案の概要】
【考案が解決しようとする課題】
【０００６】
文献１と文献２とは、針穴の問題点を解消するが、磁石の磁力、体裁とかに関する配慮が無く、コサージュの止め具としては、十分とは考えられない。即ち、コサージュを装着するときの満足度とか、誇らしい雰囲気の醸成には、改良の余地が考えられる。
【０００７】
そして、釦を被覆するベルト用の装飾釦では、装飾効果はあるが、コサージュを装着するときの満足度とか、誇らしい雰囲気の醸成とかとは、趣が異なる。
【課題を解決するための手段】
【０００８】
上記に鑑み、本考案は、コサージュを装着するときの満足度とか、誇らしい雰囲気の醸成とかを満喫するとともに、磁石の軽量化と肉薄形状（板状部材の厚みが薄い形状）の確保とを図ることができるマグネット付きコサージュを提供する。
【０００９】
また、磁性の強いネオジム磁石を採用し、コサージュの装着（取付け）の安定性確保と、人の動きに対し、十分に対応すること、又はダンス等の遊戯の激しい際のコサージュの装着維持（装着状態、落下防止等）を確保すること、等が可能となるマグネット付きコサージュを提供する。
【００１０】
前述したマグネット付きコサージュを提供するために、本考案は、請求項１〜請求項５を提案する。
【考案の効果】
【００１１】
請求項１の考案は、コサージュのかたくに設けた金属板、磁石の何れかでなる磁着体と、磁着体に設けた布地と、布地に接触し、かつ磁着体に磁着される磁石と、磁石を被覆するレース、サテン、シルクの何れかでなるくるみ布と、でなるマグネット付きコサージュであり、以下の特徴がある。
【００１２】
１）  コサージュを装着するときの満足度とか、誇らしい雰囲気の醸成とかを満喫するとともに、磁石の軽量化と肉薄（薄肉）形状が図れる。
【００１３】
２）  磁着体、磁石を、被覆し、これらの存在を隠すことで、コサージュの美しさを生成することと、自然な雰囲気を確保できる。
【００１４】
３）  磁着体と磁石との利用であり、怪我が無く、誰でも安心して使用できる。
【００１５】
請求項２の考案は、カバーは、レース、サテン、シルクの如く、薄物素材でなるマグネット付きコサージュであり、前述の１）〜３）の他に、以下の特徴がある。
【００１６】
４）  カバーを、薄物素材で構成することで、磁石の磁力を、略１００％確保できる特徴がある。
【００１７】
請求項３の考案は、磁石は、磁着体にて対して大きく、表面積を、磁石＞磁着体とするマグネット付きコサージュであり、前述の１）〜３）の他に、以下の特徴がある。
【００１８】
５）  磁石は、磁着体に対して大きくしたことで、装着時の違和感の解消に有効と考えられる。
【００１９】
請求項４の考案は、磁石は、ネオジム磁石とするマグネット付きコサージュであり、前述の１）〜３）の他に、以下の特徴がある。
【００２０】
６）  磁性の強いネオジム磁石を採用し、コサージュの装着（取付け）の安定性確保と、人の動きに対し、十分に対応できること、又はダンス等の遊戯の激しい際のコサージュの装着維持（装着状態、落下防止等）が確保できること、等の特徴がある。
【００２１】
請求項５の考案は、磁石は、コサージュとの釣合いを考え、花柄とするマグネット付きコサージュであり、前述の１）〜３）の他に、以下の特徴がある。
【００２２】
７）  コサージュの美感の向上と、コサージュを装着できる楽しみが増える特徴がある。
【図面の簡単な説明】
【００２３】
【図１】コサージュの一例を示した正面図
【図２】図１に示したコサージュの裏面図
【図３】図１に示したコサージュの側面図
【図４】図１に示したコサージュの磁石を外した状態の裏面視した一部欠截の斜視図
【図５】図１に示したコサージュの使用状態を示した縮尺斜視図
【考案を実施するための形態】
【００２４】
以下、本考案の好ましい、一実施例を説明する。
【００２５】
図中１はコサージュで、このコサージュ１のかたく１００（がく片も可能）には、例えば、丸形の金属板、丸形の各種の磁石の何れかでなる磁着体２が設けられている（取付けられている）。この磁着体２の外側であって、かたく１００に相当する部位には、形状保持か、又は張りがあり、磁力線（磁気）が通るレース、同シルク、同不織布でなる布地３（かたく１００の代替か、又はかたく１００の補強材として構成等とする）が設けられていて、この磁着体２は隠蔽されているとともに、コサージュ１と一体になっている。布地３の表面積は、磁着体２の表面積より大きく、この磁着体２の存在を見えなくしている。これにより、布地３は、あたかもコサージュ１の一部であるかのような感覚とか、コサージュ１の品質向上に寄与できる。又はコサージュ１の基盤（かたく１００、又はがく片）としての役割を担うこと等に役立っている。
【００２６】
本考案のように、磁着体２を、布地３で被覆（カバー）した構造では、前記布地３と同様に、かたく１００の代替か、又はかたく１００の補強材としての構成も考えられる。総括すれば、磁着体２、及び／又は、布地３は、前述のかたく１００の代替か、又はかたく１００の補強材としての構成を備える。
【００２７】
図中５はレース、サテン、シルクの何れかの薄物素材でなるくるみ布で、このくるみ布５は、磁石６を被覆する素材であり、この一例では、くるみ布５は、コサージュ１に併せて花柄であり、例えば、丸形の磁石６を、花びらの形状のくるみ布５で被覆した構造として、コサージュ１との釣合いを考えた構成である。
【００２８】
本考案では、磁石６、磁着体２の磁石等は、例えば、丸形のネオジム磁石とすること、及び／又は、その表面積を通常より大きくする（例えば、磁石６は実寸で２．５ｃｍ、磁着体２の磁石は実寸で２ｃｍとする）ことでなる構成とし、磁力を高めて吸着度向上とか、密着度向上が図れ、かつコサージュ１の装着の安定性と、例えば、ダンス等の動きにも、対応できて有益である。また、かたく１００、及び／又は、磁石６の表面積を確保することで、前記と同じように、密着度向上が図れ、かつコサージュ1の装着の安定性と、例えば、ダンス等での動きにも、対応できて有益である。
【００２９】
さらに、磁石６は、磁着体２に対して大きく、その表面積を、磁石＞磁着体とする構成とし、前述と同様に、コサージュ１の装着の密着度向上とか、安定性確保とか等に有益である。
【００３０】
磁石６、又は磁着体２の磁石等は、その他として、例えば、サマコバ磁石、フェライト磁石等でも、使用は可能であり、洋服Ｃの種類・サイズ・用途とか、洋服Ｃの重さとかにより選択できる。
【００３１】
続いて、本考案の使用の一例を説明すると、図５に示すように、コサージュ１を、洋服Ｃ（ツーピーススーツであり、その他ドレス等を含む）の襟Ｃ１に装着するには、このコサージュ１の布地３を、襟Ｃ１の前に添設した後に、襟Ｃ１の裏面に磁石６を添える。この所作で、磁石６の磁力が、襟Ｃ１と布地３とを透過して磁着体２に伝わり吸着される。この際に、本考案は、ネオジム磁石を採用することで、磁力が強く、前述した安定性と、例えば、ダンス等の動きにも、十分に対応でき、かつ落下することは、極めて、少ない特性がある。また、ネオジム磁石を採用することで、磁石６、及び／又は、磁着体２の肉薄化が図れ、洋服Ｃへの負担軽減に有益である。
【符号の説明】
【００３２】
１  コサージュ
１００  かたく（花托）
２  磁着体
３  布地
５  くるみ布
６  磁石
Ｃ  洋服
Ｃ１  襟
【図１】
0003202668.tif 000003
【図２】
0003202668.tif 000004
【図３】
0003202668.tif 000005
【図４】
0003202668.tif 000006
【図５】
0003202668.tif 000007
【手続補正書】
【提出日】平成27年12月16日(2015.12.16)
【手続補正１】
【補正対象書類名】実用新案登録請求の範囲
【補正対象項目名】全文
【補正方法】変更
【補正の内容】
【実用新案登録請求の範囲】
【請求項１】
コサージュのかたくに設けた金属板、磁石の何れかでなる磁着体と、この磁着体に設けた布地と、この布地に接触し、かつ前記磁着体に磁着される磁石と、この磁石を被覆するレース、サテン、シルクの何れかでなるくるみ布と、で構成したマグネット付きコサージュ。
【請求項２】
前記くるみ布は、前記レース、前記サテン、前記シルクの如く、薄物素材で構成した請求項１に記載のマグネット付きコサージュ。
【請求項３】
前記磁石は、前記磁着体に対して大きく、その表面積を、磁石＞磁着体とする構成とした請求項１に記載のマグネット付きコサージュ。
【請求項４】
前記磁石は、ネオジム磁石とする構成とした請求項１に記載のマグネット付きコサージュ。
【請求項５】
前記くるみ布は、コサージュとの釣合いを考え、花柄とする構成とした請求項１に記載のマグネット付きコサージュ。